(57)【特許請求の範囲】
【請求項１】
シートリング（１０）、およびトイレットボールに対して前記シートリングを位置決めするための手段を含み、前記位置決め手段（１４，１５，１６）は前記シートリング（１０）上に移動自在に取り付けられかつ前記トイレットボールと係合する位置へ同期調整自在である少なくとも１対の相互連結アーム（１４，１５）を含み、かつ各対の前記アーム（１４，１５）は、前記トイレットボールに対峙する内面または外面と相互に係合する設計であり、かつ位置設定されるときに相互に反対方向へ同期して移動すべく相互に連結されているトイレットシートにおいて、
各対の前記アーム（１４，１５）は前記トイレットシートを通る対称平面内に位置する同一垂直ピボットシャフト（１７）上に軸回転自在に取り付けられていることを特徴とする、トイレットシート。
【請求項２】
各対の前記アーム（１４，１５）は前記ピボットシャフト（１７）から所定間隔にスロット（１８）を有し、前記スロットは相互に交差し、かつ前記対称面内に位置するシャフト（１９）が前記スロットを貫通し、かつ前記シャフト（１７，１９）の一方は前記アーム（１４，１５）の同期回転のために前記シャフトの他方に対して近づきかつ離れることを特徴とする、請求項１のトイレットシート。
【請求項３】
前記可動シャフト（１７）は前記対称面内に位置するガイド溝（２４）内に変位自在に受けられることを特徴とする、請求項２のトイレットシート。
【請求項４】
前記可動シャフト（１７）はセットノブ（２２）内に形成された螺旋状溝（２３）内に同様に受けられることを特徴とする、請求項２または３のトイレットシート。
【請求項５】
前記シャフト（１９）は前記セットノブ（２２）の回転軸に固定されかつそれと合致することを特徴とする、請求項４のトイレットシート。
【請求項６】
前記螺旋状溝（２３）は前記可動シャフト（１７）と自動的に係止係合することのできる小さいピッチを有することを特徴とする、請求項４のトイレットシート。
【請求項７】
前記セットノブ（２２）の周辺部は前記シートリング（１０）の外側からアクセス可能であることを特徴とする、請求項４から６のいずれか１のトイレットシート。
【請求項８】
本トイレットシートは取り外すことができることを特徴とする、請求項１から７のいずれか１のトイレットシート。
【請求項９】
前記シートリング（１０）の前端は固定シート位置決め手段（１６）を担持し、前記移動自在に取り付けられた位置決め手段（１４，１５）は前記シートリング（１０）の後端上に配置されていることを特徴とする、請求項１から８のいずれか１のトイレットシート。
【請求項１０】
滑走抵抗材料、好適には軟質材料から成るビード状エッジ（２７）が前記シートリング（１０）の周辺に形成されていることを特徴とする、請求項１から９のいずれか１のトイレットシート。
【請求項１１】
前記エッジ（２７）の一部（２８）はシート運搬ハンドルとして形成されていることを特徴とする、請求項１０のトイレットシート。
【発明の詳細な説明】
【０００１】
本発明は、シートリング、およびトイレットボールに対して前記シートリングを位置決めする手段を含むタイプのトイレットシート（便座）に関し、前記位置決め手段は前記トイレットリング上に移動自在に取り付けられかつトイレットボールと係合する位置へ同期調整自在である少なくとも１対の相互に連結されたアームを含む。
【０００２】
上記または類似種類のトイレットシートは、例えば、米国特許出願第１０８９０４０号、同第１３０４０９５号、同第１９５１６２１号、同第２６８７５３５号、および同第２９５５２９６号、英国特許出願第５７３００４号、およびスエーデン特許第５０２０２２号から既知である。シート位置決めアーム等の装置は、トイレットボールの内側または外側上に直接係合させるか、またはトイレットボールへ既に固定されたシートリングの内側または外側に対して適用され、個別的に調整自在である。これらの既知シート位置決め装置はトイレットシートをトイレットボール上の中心へ精確に位置決めするのが困難であり、また相互に異なる寸法および形状のシートリングの適用を不可能にする欠点を有する。同様の問題は、位置決めアームがトイレットボールに適用されたシートリングの下側と係合するトイレットシートに存在する。
【０００３】
本発明の課題は、固定シートリングが存在または存在しない、いずれかのトイレットボールへ適用するとき自動的に中心位置に設置される新規かつ改良されたトイレットシートを提供することにある。
この目的のために、上記種類のトイレットシートの各対の位置決めアームが、トイレットボールに対峙する内面または外面と係合する設計であり、かつ位置設定を調整するときに相互に反対方向へ同期して移動すべく相互に連結されていることを提案する。
【０００４】
前記アームは、他の既知方法と同様に選択的に変位自在に形成されてよいが、好適には軸回転し、一方のアームの一方向への運動が他方のアームの反対方向へ同期的運動になるように相互に連結されている。
枢軸回転アームが使用される場合、前記アームは相互から離隔し、異なるピボットシャフトを中心に軸回転してよく、前記アームの枢軸回転運動の同期は四分円形ラチェットと相互に係合させることにより達成できる。ただし、各対のアームは好適にはトイレットシートを通る対称面内に設置された１つの同一ピボットシャフトを軸回転する。
【０００５】
本発明の他の特徴は、添付特許請求の範囲の従属項に説明されている。
次に、本発明の好適実施形態について添付図面を参照して更に詳細に説明する。
異なる図面において対応するまたは概ね対応する構成要素は同一参照番号が付されている。
【０００６】
図１から１０に示されたトイレットシートは、子供用を意図しており、シートリング（１０）に適合しまたは適合しないトイレットボール（図示せず）に取外し自在に装着できる設計である。しかしながら、相互に異なる寸法および異なる形状のトイレットボールのトイレットシートへの取り付けを大幅に促進する本発明の原理は大人用のトイレットシートに適用でき、例えば、何らかのハンディキャップを有する大人のためのトイレットボール昇降機に適用できる。
【０００７】
図１から８に示されたトイレットシートはシートリング１０の前端に向かって変位する開口部１１を有する相対的に広いシートリング１０を有し、前記シートリング１０は放尿時の跳ね返しガードとして機能する起立部１２を有する。開口部１１は垂直開口部１３により包囲され、前壁は起立部１２の後壁と共に、図２，４，５に示されたように、適宜、斜め上方から後方へ傾斜してよい。
【０００８】
シートリング１０はアーム１４，１５により取り付けられ、これらのアームによりトイレットシートはトイレットボール上に位置決めされる。図示形態において、アーム１４，１５はシートリング１０上に移動自在に取り付けられ、かつトイレットボールの内面に対峙して係合する位置へ調整できる。好適には、トイレットボールへシートリングを先に取り付けておく。ただし、本発明の範囲内で小さな改良を加えることにより、前記アームはトイレットボールの外側と係合する構成にすることができる。単に１対のアーム１４，１５がシートリング１０の後部に設けられる場合、垂直開口部１３はトイレットボールの内側に当接するように、シートリング１０またはトイレットボールに取り付けたシートリングの前部に位置決めリブ１６を有する。しかしながら、本発明の範囲において，アーム１４，１５と同様に構成された調整自在アーム（図示せず）によってリブ１６を置換してよい。これらのアームは、それらのアームを位置決めするときに反対方向へ同期して移動するように、各対ごとに相互連結され、それによりトイレットシートは前記アームを係合させるときに前記トイレットボールに対して中心に位置決めされる。前記アーム１４，１５が軸回転自在に取り付けられる場合、好適には１つの同一ピボットシャフト１７上に取り付けられる（図５および８から１０）。
【０００９】
図示形態において、図８において上方から示しかつ図９および１０において下方から示したアーム１４，１５は、各々、シャフト１７から離隔したスロット１８を含む。このスロットは図示例において弓状に湾曲し、相互に交差し、かつ当該スロット内へ案内される、シャフト１７に類似の他のシャフト１９が貫通し、図５に示されたように、トイレットシートの対称面内に位置決めされる。アーム１４，１５の相互に反対方向への同期回転を達成するために、シャフト１７は不動シャフト１９に対して近づきかつ離れる。シートリング１０の凹部２０は取り外し自在の蓋またはカバー２１により被覆され、カバー２１は不動シャフト１９を担持し、かつそこから不動シャフト１９は凹部２０の底面を経てアーム１４，１５内のスロット１８を通過する。シャフト１９の下端はセットノブ２２を担持する。セットノブ２２が螺旋状溝２３を含み、可動シャフト１７はそこへ突入する。可動シャフト１７はトイレットシートの長手方向への運動のために案内される。この目的から、凹部２０の後部とシートリング１０の内側との間でトイレットシートの長手方向にガイド溝が延在し、このガイド溝は図５に１つのみが示された壁面を有する対称面の２つの対峙側に位置する溝壁２４により形成される。そのようにして、セットノブ２２が回転するときに、可動シャフト１７はそのシャフトと螺旋状溝２３との間のカム作用により長手方向へ移動し、それによりアーム１４，１５は、順次、スロット１８と不動シャフト１９との間のカム作用により可動シャフト１７を中心に相互に反対方向へ同期して揺動し、他方、図９および１０間で比較した場合に明らかなように、トイレットシートの長手方向へ同時的に調和して移動する。アーム１４，１５の同様運動パターンはシャフト１９をシャフト１７に対して運動させることにより、または両シャフトを他方のシャフトに対して一定範囲運動させることにより達成できる。螺旋状溝２３は可動シャフト１７と螺旋状溝２３の壁との間に自動的係止係合を形成するために小ピッチであることことが有利であり、それにより所望回転位置にアーム１４，１５を相互係止する必要性を解消する。
【００１０】
前記アーム１４，１５は図９および１０において更に概略的に示されているが、基本的には図８と同様設計を有し、１７で枢軸回転自在に連結され、かつトイレットシートに対して角度を付けかつ線２６により示されたトイレットボール開口部の内側との係合が意図された端部２５を有する２つのプレート状主要部を含む。図９および１０は、それぞれ、外方へ最大に揺動した位置にあるアーム１４，１５および外方へ最小に揺動した位置のアーム１４，１５を示し、ここではシャフト１９はスロット１８の一端または他端に位置する。
【００１１】
トイレットシートの下へ人の手を入れることなく、トイレットシートを衛生的に設置しかつ弛緩するために、セットノブ２２は、図２から５に示されたように、シートリング１０の外側または上側からアクセス可能なように位置決めされる。従って、トイレットシートは、例えば、図１０に示されたようにトイレットボール上にアーム１４，１５を位置決めしてトイレットシートを設置し、そのようにしてセットノブ２２をシートリング１０の外方および後方に延在する部の影響によりアーム１４，１５の下方へ傾斜した部２５をトイレットボールの開口部の内側２６と係合する方向へ回転させることにより、選択されたトイレットボールへ適合させることができる。トイレットシートは、当然ながら、セットノブ２２を反対方向へ回転させることにより除去される。
【００１２】
トイレットシートをトイレットボールの上面に対する不本意な滑走または摺動を回避するために、滑走抵抗材、好適には軟質材料により形成されたビード状エッジ２７がシートリング１０の周辺または外部下エッジの周りに形成される。エッジ２７およびシートリング１０は共に適宜質のプラスチック材料から成形される。これは、同様に、トイレットシートの残部に適用できる。ビード状エッジ２７の一部２８はトイレットシートの後方でシート運搬ハンドルを形成するループの形態でシートリング１０から突出する。
【００１３】
前記トイレットシートは、シートを効果的に清掃するために、その構成要素に容易に分離できる。図示形態（図５から８）において、前記構成要素、即ち、シャフト１９、アーム１４，１５、およびセットノブ２２はこの目的から次の方法により分解自在に組み立てられる。シャフト１９は管状であり、カバー２１から離れた端部へ挿入された、管状シャフト１９へ挿入できるステム３０を含む係止プラグ２９、および係止プラグ２９をこの端部へ特別の道具を使用する必要なく回転させることのできるコインスロット３２を有することが好ましいヘッド３１を有する。ヘッド３１の下側には、シャフト１９の端部の対応する溝３４に受けることのできる隆起３３が形成されている。係止プラグ２９はシャフト１９の孔に摩擦により保持でき、かつ１７に軸回転自在に取り付けられたアーム１４，１５、および凹部２０の底面と係止プラグ２９のヘッド３１との間でセットノブ２２を一緒に保持する。シャフト１９の下端部にはスロットが形成され（図６）、かつスロット１８を通り、かつシャフト１９の下端部のスロットにより分離したシャフト部３６の半径方向の圧縮に続いてセットノブ２２内の中央開口部を通過できる下厚部３５を含む。下厚部３５はセットノブ２２の下側に当接する。シャフト１９内のスロットは係止プラグ２９を挿入するときに拡大し、それにより隆起３３と溝３４の斜面との共働によりシャフト部３６の相互方向へのばね作用を防止し、そのようにして下厚部はセットノブ２２のシャフト１９からの離脱を防止する。係止プラグ２９が回転するときに、隆起３３と溝３４間のカム作用によってシャフト１９に対して外方へ移動し、それにより係止プラグ２９のシャフト１９からの離脱を可能にする。そこで、セットノブ２２およびアーム１４，１５はシャフト１９から容易に除去できる。
【００１４】
理解されるように、本発明は上記説明および図示実施形態に限定されることなく、かつ本発明は特許請求の範囲に記載の発明の範囲内でいずれの所望方法においても実施できる。
【図面の簡単な説明】
【図１】  本発明によるトイレットシートを上から見た斜視図である。
【図２】  本発明によるトイレットシートを下から見た斜視図である。
【図３】  図１のトイレットシートを上から見た平面図である。
【図４】  図１のトイレットシートを下から見た平面図である。
【図５】  図１によるトイレットシートの中心からとった長手方向断面図である。
【図６】  図５によるトイレットシートの構成要素の側面図である。
【図７】  図５によるトイレットシートの構成要素の他の側面図である。
【図８】  図５に示された枢軸回転自在の位置決め設定アームを上から見た平面図である。
【図９】  図８の位置決め設定アームを下から見た枢軸回転原理を示す部分概略側面図である。
【図１０】  図８の位置決め設定アームを下から見た枢軸回転原理を示す他の部分概略側面図である。
【図１】
0004387590.tif 000002
【図２】
0004387590.tif 000003
【図３】
0004387590.tif 000004
【図４】
0004387590.tif 000005
【図５】
0004387590.tif 000006
【図６】
0004387590.tif 000007
【図７】
0004387590.tif 000008
【図８】
0004387590.tif 000009
【図９】
0004387590.tif 000010
【図１０】
0004387590.tif 000011